(57)【要約】      （修正有）【課題】組み立てが容易で、ワイヤの外れ等に対する安全性が高く、吸込グリルがワイヤに吊持された状態において姿勢を安定させることができる昇降装置を提供する。【解決手段】空気調和機の本体側に設けられた一対の巻取ドラム１２と、一端が巻取ドラム１２に接続されて巻き上げられ他端が連結部材２５に接続されて連結された一対のワイヤ２０と、ワイヤ２０によって吊持されて吸込グリルを支持する接続金具３０と、接続金具３０に設けられた一対の平行なプーリ軸４１にそれぞれ回転自在に支持されてワイヤ２０が掛けられた一対のプーリ４０と、一対のプーリ４０の間の接続金具３０に固定され連結部材２５に当接してワイヤ２０の動きを制限するストッパ部３３と、を有する。これにより、２本の短いワイヤ２０によって吸込グリルが吊持され、ワイヤ２０の外れや吸込グリルの傾きを抑えて安全性を確保しつつ、昇降装置２の生産性を高めることができる。【選択図】図４
2020125888.tif 000002
【特許請求の範囲】
【請求項１】
室内の上方に設置された空気調和機に設けられて前記空気調和機の吸込グリルを昇降させる昇降装置であって、
前記空気調和機の本体側に設けられた一対の巻取ドラムと、
一端が前記巻取ドラムに接続されて巻き上げられ他端が連結部材に接続されて連結された一対のワイヤと、
前記ワイヤによって吊持されて前記吸込グリルを支持する接続金具と、
前記接続金具に設けられた一対の平行な軸にそれぞれ回転自在に支持されて前記ワイヤが掛けられた一対のプーリと、
一対の前記プーリの間の前記接続金具に固定され前記連結部材に当接して前記ワイヤの動きを制限するストッパ部と、を有することを特徴とする昇降装置。
【請求項２】
前記接続金具に取り付けられて一対の前記プーリの間の前記連結部材及び前記ワイヤを覆うカバー部材と、を有し、
前記連結部材には、前記ストッパ部が挿通されるストッパ孔が形成されており、
前記接続金具と前記カバー部材は、前記ストッパ孔に挿通された前記ストッパ部によって固定されていることを特徴とする請求項１に記載の昇降装置。
【請求項３】
前記ワイヤは、折り返されてスリーブによって加締め固定され前記接続金具に設けられたピン部に掛止されたリング部を有し、
前記ワイヤには、前記スリーブ近傍の端部側に結び目が形成されていることを特徴とする請求項２に記載の昇降装置。
【請求項４】
前記ワイヤは、前記巻取ドラムに巻き掛けられる長さが一方の前記ワイヤの方が他方の前記ワイヤよりも長くなるよう形成されていることを特徴とする請求項１から請求項３の何れか１項に記載の昇降装置。
【請求項５】
前記接続金具は、前記吸込グリルを支持するグリル支持部材の上面に固定され、
前記グリル支持部材には、前記プーリの軸の両端部外側に前記軸の周面下部よりも高い側面部が形成されていることを特徴とする請求項１から請求項４の何れか１項に記載の昇降装置。
【発明の詳細な説明】
【技術分野】
【０００１】
本発明は、天井に設置される空気調和装置の室内機等に設けられて該室内機等の吸込グリルを昇降させる昇降装置に関する。
【背景技術】
【０００２】
ダクト式空調システムの室内空気吸込チャンバ、換気装置の室内空気吸込チャンバ、冷媒配管式空調システムの室内機等として、天井に埋め込まれる天井埋込型または天井から吊り下げられる天井吊下型の室内機等がある。従来、この種の室内機等において、フィルタが配設される吸込グリル若しくはパネル等をワイヤ等によって吊り下げ、昇降自在に構成したものが知られている。
【０００３】
例えば、特許文献１には、室内の上方に設置された空気調和機の吸込グリルを昇降させる昇降装置が開示されている。同文献の昇降装置は、空気調和機の本体側に設けられた一対の巻取ドラムと、一端が一方の巻取ドラムに接続され他端が他方の巻取ドラムに接続されて巻取ドラムによって巻き上げられるワイヤと、ワイヤによって吊持されて吸込グリルに接続された接続金具と、を有する。このような構成により、昇降装置は、一対の巻取ドラムに巻かれたワイヤによって吸込グリルが引かれて昇降する。
【０００４】
また、同文献の接続金具には、ワイヤが巻き掛けられる一対のプーリが設けられている。このような構成により、転がり抵抗の小さいプーリでワイヤが移動自在に支持されるので、吸込グリルは、ワイヤに対して相対移動し易く、僅かに傾いたとしても水平な状態に戻り易い。これにより、吸込グリルの姿勢が安定し、吸込グリルは略水平に保たれる。
【０００５】
また更に、同文献の昇降装置は、一対のプーリの間にワイヤが挿通される一対のストッパ部と、一対のストッパ部の間のワイヤに固定されてストッパ部を通過できない一対の抜止部材と、を有する。このような構成により、抜止部材がストッパ部に当接することにより吸込グリルの傾きが規制され、吸込グリルは、略水平な状態に戻り易くなる。
【先行技術文献】
【特許文献】
【０００６】
【特許文献１】特開２０１７−１６１１３６号公報
【発明の概要】
【発明が解決しようとする課題】
【０００７】
上述の従来技術によれば、吸込グリルの傾きを規制して、吸込グリルを略水平に昇降させることができる。しかしながら、上述の従来技術には、吸込グリルの傾きを抑制する安全な昇降性能を維持しつつ、昇降装置の生産性を向上させる観点から改善すべき点があった。
【０００８】
具体的には、上述した従来技術のように１本の連続したワイヤによって吸込グリルが吊持される構成では、長いワイヤが必要であり、ワイヤの生産及び昇降装置への組み付けが容易ではなかった。そのため、昇降の安全性を確保しつつ、ワイヤの生産性を高めると共に、ワイヤを昇降装置に容易に組み付けることができる改良が望まれていた。
【０００９】
また、従来技術の昇降装置では、例えば、床面近傍等、ワイヤの最長位置まで吸込グリルが引き出されて巻取ドラムがロックされると、ワイヤを引いても巻取ドラムのロックを解除することができなくなるという問題点があった。そのため、このようにロックを解除することができない状態になった際には、作業者が巻取ドラムのケースを取り外してクラッチ機構を手動で回転させてロックを解除する等の作業が必要であった。
【００１０】
本発明は、上記の事情に鑑みてなされたものであり、その目的とするところは、組み立てが容易で、ワイヤの外れ等に対する安全性が高く、且つ吸込グリルがワイヤに吊持された状態において吸込グリルの傾きを抑制してその姿勢を安定させることができる昇降装置を提供することにある。
【課題を解決するための手段】
【００１１】
本発明の昇降装置は、室内の上方に設置された空気調和機に設けられて前記空気調和機の吸込グリルを昇降させる昇降装置であって、前記空気調和機の本体側に設けられた一対の巻取ドラムと、一端が前記巻取ドラムに接続されて巻き上げられ他端が連結部材に接続されて連結された一対のワイヤと、前記ワイヤによって吊持されて前記吸込グリルを支持する接続金具と、前記接続金具に設けられた一対の平行な軸にそれぞれ回転自在に支持されて前記ワイヤが掛けられた一対のプーリと、一対の前記プーリの間の前記接続金具に固定され前記連結部材に当接して前記ワイヤの動きを制限するストッパ部と、を有することを特徴とする。
【発明の効果】
【００１２】
本発明の昇降装置によれば、空気調和機の本体側に設けられた一対の巻取ドラムと、一端が巻取ドラムに接続されて巻き上げられ他端が連結部材に接続されて連結された一対のワイヤと、ワイヤによって吊持されて吸込グリルを支持する接続金具と、を有する。このような構成により、連結部材で連結される２本のワイヤによって吸込グリルが吊持されるので、上述した従来技術のように長いワイヤを用いることなく、短いワイヤを使用することができる。よって、ワイヤの生産性が向上する。
【００１３】
また更に、本発明の昇降装置は、接続金具に設けられた一対の平行な軸にそれぞれ回転自在に支持されてワイヤが掛けられた一対のプーリを有する。このような構成により、吸込グリルは、ワイヤに対して相対移動し易く、僅かに傾いたとしても水平な状態に戻り易い。これにより、吸込グリルの姿勢が安定し、吸込グリルは略水平に保たれる。
【００１４】
また更に、本発明の昇降装置は、一対のプーリの間の接続金具に固定され連結部材に当接してワイヤの動きを制限するストッパ部を有する。このような構成により、１つのストッパ部によって吸込グリルが大きく傾いてしまうことが抑制され、吸込グリルは、略水平な状態に戻り易くなる。よって、吸込グリルの傾きを抑制する安全性を確保しつつ、ストッパ部の取り付け作業を容易にすることができる。
【００１５】
また、仮に、何らかの理由で一方のワイヤが切断された場合であっても、切断されていない他方のワイヤは、ストッパ部で動きが制限される連結部材に接続されており、吸込グリルを支持できる状態に維持される。よって、一方のワイヤが切断されても、他方のワイヤで吸込グリルの落下を防止することができる。
【００１６】
また、本発明の昇降装置によれば、接続金具に取り付けられて一対のプーリの間の連結部材及びワイヤを覆うカバー部材を有し、連結部材には、ストッパ部が挿通されるストッパ孔が形成されており、接続金具とカバー部材は、ストッパ孔に挿通されたストッパ部によって固定されていても良い。このような構成により、１つのストッパ部の組み付けによって、吸込グリルの傾きを抑制することができると共に、接続金具とカバー部材を固定することができる。よって、組み立て作業が容易で安全性に優れた昇降装置が得られる。
【００１７】
また、本発明の昇降装置によれば、ワイヤは、折り返されてスリーブによって加締め固定され接続金具に設けられたピン部に掛止されたリング部を有し、ワイヤには、スリーブ近傍の端部側に結び目が形成されていても良い。これにより、ワイヤが大きな衝撃等によって強く引かれた場合であっても、結び目がスリーブの端部に接触して、ワイヤがスリーブ内を滑って引き抜かれてしまうことを防止することができる。
【００１８】
また、本発明の昇降装置によれば、ワイヤは、巻取ドラムに巻き掛けられる長さが、一方の前記ワイヤの方が他方の前記ワイヤよりも長くなるよう形成されていても良い。これにより、例えば、吸込グリルが床面近傍まで引き下げられて、１つのワイヤが最長位置まで引き出されて巻取ドラムのロックを解除することができない状態になっても、もう一方のワイヤを引くことにより巻取ドラムを回転させてロックを解除することができる。即ち、巻取ドラムのケースを取り外してクラッチ機構を手動で回転させる等の作業が不要になり、従来技術の昇降装置に比べて、ロック解除の作業が容易になる。
【００１９】
また、本発明の昇降装置によれば、接続金具は、吸込グリルを支持するグリル支持部材の上面に固定され、グリル支持部材には、プーリの軸の両端部外側に軸の周面下部よりも高い側面部が形成されていても良い。このような構成により、プーリの軸が外れてしまうことを側面部によって防止することができる。よって、昇降装置の組み立て作業を困難にすることなく、プーリの外れを防止して、昇降装置の安全性を高めることができる。
【図面の簡単な説明】
【００２０】
【図１】本発明の実施形態に係る昇降装置を備えた空気調和機の斜視図である。
【図２】本発明の実施形態に係る空気調和機の分解斜視図である。
【図３】本発明の実施形態に係る吸込グリルの斜視図である。
【図４】本発明の実施形態に係る昇降装置の概略構成を示す図であり、図４（Ａ）は部分断面正面図、図４（Ｂ）は接続金具近傍の平面図である。
【図５】本発明の実施形態に係る昇降装置の連結部材近傍の概略構成を示す平面図である。
【図６】本発明の実施形態に係る昇降装置の連結部材近傍の接続金具の概略構成を示す分解斜視図である。
【図７】本発明の実施形態に係る昇降装置のプーリ近傍の概略構成を示す図であり、図７（Ａ）は図４（Ｂ）に示すＡ−Ａ線断面図、図７（Ｂ）は分解斜視図である。
【図８】本発明の実施形態に係る昇降装置の接続金具の取り付けを示す図であり、図８（Ａ）は接続金具をグリル支持部材に載置した状態を示す斜視図、図８（Ｂ）は図８（Ａ）に示すＢ部近傍の拡大斜視図、図８（Ｃ）は脱落防止部材の取り付けを示すＢ部近傍の拡大斜視図、図８（Ｄ）はナットの取り付けを示すＢ部近傍の拡大斜視図である。
【図９】本発明の実施形態に係る昇降装置の接続金具の取り付けを示す側面断面図である。
【発明を実施するための形態】
【００２１】
以下、本発明の実施形態に係る昇降装置を図面に基づき詳細に説明する。
図１は、本発明の実施形態に係る昇降装置２を備えた空気調和機１を斜め下から見た斜視図であり、昇降自在に設けられる吸込グリル５が引き出された状態を示している。
【００２２】
図１に示すように、空気調和機１は、室内の換気、暖房及び冷房等に用いられるダクト式空調システムの室内機であり、室内の空気を空気調和装置内に取り込む室内空気吸込装置である。本実施形態に係る空気調和装置は、室内空気吸込装置である空気調和機１の他に、図示しない空気吹出装置、熱交換器、送風機、分岐チャンバ、ダンパ、及び各装置をつなぎ空気を流すためのダクト等を有する。なお、本実施形態の昇降装置２を用いる空気調和装置としては、換気のみを行う換気装置や冷媒配管式の空気調和装置等でも良い。
【００２３】
空気調和機１の本体となる吸込チャンバ３は、天井の内部等に埋め込まれており、室内側に開口する吸込口９と、図示しないダクト等が接続されるダクト接続部と、を有する。吸込口９は、室内から空気を取り込む開口であり、吸込口９には、略格子状等の吸込グリル５が開閉自在に設けられる。なお、吸込グリル５は、例えば、合成樹脂の一体成形品、または、アルミニウム等の押出材や鋼板等の板金加工材等から構成されている。
【００２４】
吸込チャンバ３のダクト接続部は、略円形の貫通孔とその周囲縁から連続する略円筒状の接続部を有し、該接続部に前述のダクト等が接続されている。吸込チャンバ３内に取り込まれる室内の空気は、ダクト等を介して図示しない他の装置に送られる。
【００２５】
天井内等に埋め込まれる空気調和機１の本体側には、昇降装置２の巻上装置１０が配設されている。空気調和機１の吸込グリル５は、巻上装置１０につながるワイヤ２０によって、空気調和機１の本体側から吊り下げられており、昇降自在に構成されている。なお、空気調和機１は、天井等から吊り下げられて室内の上部に設置されている天井吊下型であっても良い。
【００２６】
図２は、空気調和機１の分解斜視図であり、吸込チャンバ３及びフレーム４７を斜め下から、吸込グリル５を斜め上から見た斜視図である。
図２に示すように、吸込チャンバ３は、吸込口９となる開口が形成された略箱状の形態をなし、吸込口９が室内側を向くようにして、即ち下方を向くようにして、天井等の内部若しくは近傍に配設されている。
【００２７】
吸込チャンバ３の吸込口９には、略矩形枠状のフレーム４７が取り付けられる。フレーム４７の略中央には、フレーム４７の１組の対辺に跨るようにベースプレート４８が設けられる。そして、ベースプレート４８の上方に昇降装置２の巻上装置１０が取り付けられる。
【００２８】
巻上装置１０には、引き出し自在且つ巻き上げ自在に一対のワイヤ２０が接続され、ワイヤ２０によって接続金具３０が吊持される。接続金具３０は、吸込グリル５を支持するグリル支持部材５０に対して着脱自在に固定され、これによって、吸込グリル５は、接続金具３０を介してワイヤ２０に接続され、ワイヤ２０によって吊持される。
【００２９】
なお、フレーム４７には、磁力によって吸込グリル５若しくはその支持部材等を引き付けて保持するマグネット４９が設けられても良い。これにより、吸込グリル５の収納作業が容易になり、吸込グリル５を所定の収納位置に対して正確に、隙間等を少なく密着させて、収納することができる。
【００３０】
図３は、吸込グリル５を斜め上から見た斜視図である。図３に示すように、吸込グリル５には、フィルタ５５が着脱自在に取り付けられる。具体的には、吸込グリル５若しくはその支持部材等には、フィルタ５５を挿脱自在に支持する一対のレール５４が設けられており、そのレール５４に沿ってフィルタ５５が挿入される。なお、レール５４は、例えば、アルミニウム等の押出材や鋼板等の板金加工材等から構成されている。
【００３１】
フィルタ５５は、例えば、鋼棒等から曲折形成される略矩形状のフィルタ枠５６と、フィルタ枠５６の間に張設される合成繊維製の不織布と、を有するエアフィルタ等である。吸込グリル５にフィルタ５５が取り付けられることにより、フィルタ５５の表面にほこり等を付着させて、空気調和機１にほこり等が吸入されることを防ぐことができる。
【００３２】
上記の如く、フィルタ５５は、昇降自在に構成された吸込グリル５に対して着脱自在に取り付けられる。これにより、天井近傍に設置された空気調和機１から吸込グリル５を下方に引き下げて、フィルタ５５を容易に取り外して、清浄、交換等をすることができる。
【００３３】
図４（Ａ）は、昇降装置２の概略構成を示す部分断面正面図であり、図４（Ｂ）は、接続金具３０近傍の概略構成を示す平面図である。なお、図４（Ａ）において、接続金具３０近傍については、図４（Ｂ）に示すＡ−Ａ線断面を表している。
【００３４】
図４（Ａ）に示すように、昇降装置２の巻上装置１０は、ベースプレート４８の上方でケース１７の内部に配設され、一対の巻取ドラム１２と、巻取ドラム１２に連結されるばね機構１３と、を有する。一対の巻取ドラム１２とばね機構１３は、支持部材１５及び支持部材１６によって回転自在に支持される駆動軸１１によって連結されている。なお、支持部材１５、１６は、例えば、鋼板等から略Ｌ字状等に曲折形成された部材である。
【００３５】
巻取ドラム１２は、ワイヤ２０を巻き取るものであり、ばね機構１３は、ワイヤ２０の巻き上げを行うために巻取ドラム１２を回転させる駆動手段である。ばね機構１３は、例えば、上下端部が夫々回転自在に上部巻回軸及び下部巻回軸に固定されて巻回される板ばね等から構成される定荷重ばね等である。なお、巻取ドラム１２を回転させる駆動手段としては、電動モータ等を採用しても良い。
【００３６】
駆動軸１１には、ワイヤ２０が引き出された状態で巻取ドラム１２の巻き上げ方向への回転を規制するクラッチ機構１４が連結される。クラッチ機構１４を設けることにより、吸込グリル５（図１参照）を下降した状態で静止させることができ、フィルタ５５（図３参照）の交換作業や、その他の点検作業等を容易に行うことができる。なお、クラッチ機構１４によって巻取ドラム１２の巻き上げ回転が規制された状態において、ワイヤ２０を更に引き出すことによりクラッチ機構１４の規制が解除される。これにより、巻取ドラム１２によるワイヤ２０の巻き上げが許容される。
【００３７】
巻取ドラム１２には、一対のワイヤ２０が接続されている。具体的には、一方のワイヤ２０Ａの一端が一方の巻取ドラム１２Ａに接続され、他方のワイヤ２０Ｂの一端が他方の巻取ドラム１２Ｂに接続されている。そして、一方のワイヤ２０Ａと他方のワイヤ２０Ｂは、それぞれの他端側、即ち下方の端部側、が連結部材２５に接続されている。
【００３８】
ワイヤ２０は、巻取ドラム１２Ａに巻き掛けられる長さが、一方のワイヤ２０Ａの方が他方のワイヤ２０Ｂよりも長くなるよう形成されていても良い。また逆に、ワイヤ２０Ｂの方がワイヤ２０Ａよりも長くなるよう形成されていても良い。
【００３９】
このように長さの異なる一対のワイヤ２０Ａ、２０Ｂを用いる構成により、例えば、吸込グリル５が床面近傍まで引き下げられて、１つのワイヤ２０Ａまたはワイヤ２０Ｂが最長位置まで引き出されて巻取ドラム１２のロックを解除することができない状態になっても、他方のワイヤ２０Ａまたはワイヤ２０Ｂを引くことにより巻取ドラム１２を回転させてロックを解除することができる。即ち、ロック解除のために巻取ドラム１２のケース１７を取り外してクラッチ機構１４を手動で回転させる等の作業が不要になり、従来技術の昇降装置に比べて、ロック解除の作業が容易になる。
【００４０】
図４（Ａ）及び（Ｂ）に示すように、連結部材２５で連結された一対のワイヤ２０は、接続金具３０に回転自在に設けられた一対のプーリ４０に巻き掛けられている。これにより、接続金具３０は、一対のワイヤ２０によって吊り下げられることになる。
【００４１】
このように、昇降装置２は、連結部材２５で連結された２本のワイヤ２０Ａ、２０Ｂによって吸込グリル５が吊持されているので、従来技術のように１本の長いワイヤを用いることなく、短いワイヤ２０を使用することができる。これにより、ワイヤ２０は、生産性が高く、輸送時の取り扱いや組み付け作業が容易であるので、昇降装置２の生産性が向上する。
【００４２】
なお、ワイヤ２０としては、例えば、高強力ポリアリレート繊維やポリアミド繊維等からなる紐状体が用いられても良い。ワイヤ２０として高強力ポリアリレート繊維を用いることにより、所定の耐荷重を確保しつつワイヤ２０の径を小さく抑えることができる。これにより、左右の巻取ドラム１２Ａ、１２Ｂにおける巻き取り径の変化等による巻き取り長さの差を小さく抑えることができる。
【００４３】
また、複数本のワイヤ２０を並列的に使用することも可能である。例えば、複数本のワイヤ２０を束ねてワイヤ２０Ａとワイヤ２０Ｂをそれぞれ形成しても良い。そうすることにより、１本のワイヤ２０が何らかの理由で切断された場合であっても残りのワイヤ２０で吸込グリル５を支えることができ、吸込グリル５の落下に対する安全性は更に高められる。
【００４４】
接続金具３０は、例えば、鋼板等から曲折形成され、略コ字状の横断面を有し、駆動軸１１と略平行に延在する。前述のプーリ４０は、接続金具３０が吊持された際にワイヤ２０Ａとワイヤ２０Ｂの一方の端部側が略平行になるよう、接続金具３０の両端部近傍に設けられている。即ち、一対の巻取ドラム１２の配置間隔と、一対のプーリ４０の配置間隔は、略等しい。これにより、ワイヤ２０を略垂直に配置して作用する張力を最小に抑え、且つワイヤ２０が巻取ドラムから外れてしまうことを抑制し、吸込グリル５の荷重を好適に支えることができる。
【００４５】
また、図４（Ｂ）に示すように、接続金具３０の両端部近傍には、接続金具３０をグリル支持部材５０（図２参照）に固定する際にグリル支持部材５０の後述するねじ部５３（図８参照）に嵌められる固定孔３２が形成されている。
【００４６】
図５は、連結部材２５近傍の概略構成を示す平面図である。図６は、連結部材２５近傍の接続金具３０の概略構成を示す分解斜視図である。
図５及び図６に示すように、一対のワイヤ２０Ａ、２０Ｂは、連結部材２５によって連結されている。具体的には、連結部材２５は、横断面略コ字状に形成されており、側面部に形成された支持孔２６に一対のピン部２８が略平行に挿通され支持されている。ワイヤ２０は、その端部に形成されたリング部２１が連結部材２５の側面部の支持孔２６に挿通されたピン部２８に掛けられて支持されている。
【００４７】
一対のワイヤ２０を連結する連結部材２５には、その底面部の略中央近傍にストッパ部３３が挿入されるストッパ孔２７が形成されている。そして、接続金具３０には、その底面部の略中央近傍に、連結部材２５のストッパ孔２７に挿入される略鋼棒状のストッパ部３３が形成されている。
【００４８】
吸込グリル５（図２参照）が傾き、ワイヤ２０を連結する連結部材２５が所定の距離だけ移動すると、ストッパ部３３には、連結部材２５のストッパ孔２７の端部が当接する。これにより、連結部材２５の移動が制限される。よって、ワイヤ２０の動きを制限され、吸込グリル５の傾きが抑えられる。
【００４９】
このように、昇降装置２では、接続金具３０に固定された１つのストッパ部３３によって吸込グリル５が大きく傾いてしまうことが抑制され、吸込グリル５は、略水平な状態に戻り易くなる。よって、ストッパ部３３の取り付け作業を容易に行うことができると共に、吸込グリル５の傾きを抑制する安全性を確保することができる。
【００５０】
また、仮に、何らかの理由で一方のワイヤ２０Ａまたはワイヤ２０Ｂが切断された場合であっても、切断されていない他方のワイヤ２０は、ストッパ部３３で動きが制限される連結部材２５に接続されており、吸込グリル５を支持できる状態に維持される。よって、一方のワイヤ２０Ａまたはワイヤ２０Ｂが切断されても、他方のワイヤ２０で吸込グリル５の落下を防止することができる。
【００５１】
また、前述のとおり、ワイヤ２０の端部近傍には、接続金具３０に支持されるピン部２８に掛止されるリング部２１が形成されている。リング部２１は、ワイヤ２０の端部近傍を折り返すようにして略環状に形成されており、リング部２１が形成されたワイヤ２０の端部近傍は、スリーブ２３に挿通されて加締め固定されている。即ち、ワイヤ２０の端部近傍は、スリーブ２３に挿通され、リング部２１を形成するよう折り返され、再度スリーブ２３に挿通され、スリーブ２３によって加締められている。
【００５２】
そして、スリーブ２３に固定されていたワイヤ２０の端部側には、ワイヤ２０を止め結びにした結び目２２が形成されている。これにより、ワイヤ２０が大きな衝撃等によって強く引かれた場合であっても、結び目２２がスリーブ２３の端部に接触して、ワイヤ２０がスリーブ２３内を滑って引き抜かれてしまうことを防止することができる。
【００５３】
図６を参照して、連結部材２５及びワイヤ２０が取り付けられた接続金具３０には、連結部材２５及びワイヤ２０を覆うように、鋼板等から曲折形成された横断面略コ字状のカバー部材３８が取り付けられる。
【００５４】
具体的には、接続金具３０に設けられたストッパ部３３には、鋼管等から形成されたスリーブ３４が嵌合される。そして、ストッパ部３３がストッパ孔２７に挿通されるようにして連結部材２５が取り付けられる。次いで、カバー部材３８の上面部の略中央に形成された支持孔３９にストッパ部３３が嵌合するようにカバー部材３８が取り付けられて、カバー部材３８はナット３５によって固定されている。
【００５５】
このように、連結部材２５には、ストッパ部３３が挿通されるストッパ孔２７が形成されており、接続金具３０とカバー部材３８は、ストッパ孔２７に挿通されたストッパ部３３によって固定されている。このような構成により、１つのストッパ部３３の組み付けによって、吸込グリル５の傾きを抑制することができると共に、接続金具３０とカバー部材３８を固定することができる。よって、組み立て作業が容易で安全性に優れた昇降装置２が得られる。
【００５６】
図７（Ａ）は、図４（Ｂ）に示すＡ−Ａ線断面図であり、昇降装置２のプーリ４０近傍を拡大して示している。図７（Ｂ）は、プーリ４０近傍を拡大して示す分解斜視図である。
図７（Ａ）及び（Ｂ）に示すように、一対のプーリ４０は、接続金具３０の両端部近傍に設けられ、互いに平行な一対のプーリ軸４１にそれぞれ回転自在に支持されている。プーリ軸４１は、接続金具３０の両側辺部から曲折形成された支持片３１によって支持されている。
【００５７】
具体的には、接続金具３０には、例えば、鋼板等から曲折形成された横断面略コ字状のスペーサ３７が取り付けられる。スペーサ３７は、中央の底面部を下にして、両側面部が接続金具３０の支持片３１と略平行になるよう支持片３１の内側に載置されている。プーリ軸４１は、支持片３１に形成された支持孔、スペーサ３７に形成された支持孔及びプーリ４０の支持孔に挿通され、端部近傍にはスペーサ４２が嵌められて、止め輪４３によって止められている。
なお、支持片３１は、接続金具３０と一体的に形成されても良いし、接続金具３０とは別の部材として成形された後、接続金具３０に溶接等によって接合される構成でも良い。
【００５８】
そして、前述のとおり、一対のプーリ４０には、ワイヤ２０が巻き掛けられる。これにより、ワイヤ２０は、接続金具３０に対して、移動可能になる。換言すれば、接続金具３０は、ワイヤ２０に対して移動可能に吊持される。これにより、ワイヤ２０の両端側で巻き取り長さに差が生じても、吸込グリル５（図１参照）に接続された接続金具３０がワイヤ２０に対して相対移動し、吸込グリル５の傾きが修正される。
【００５９】
特に、本実施形態では、回転自在なプーリ４０を介して接続金具３０が吊り下げられる。そのため、ワイヤ２０を移動自在に支持するプーリ４０の転がり抵抗は、従来技術のようにワイヤを摺動自在に支持するガイド手段等の滑り抵抗と比べると小さい。よって、吸込グリル５は、ワイヤ２０に対して相対移動し易く、僅かに傾いたとしても水平な状態に戻り易い。これにより、吸込グリル５の姿勢が安定し、吸込グリル５は、吸込チャンバ３（図１参照）に収納された状態のみならず、下方に引き出されて吊り下げられた状態においても、略水平に保たれる。
【００６０】
また、昇降装置２は、プーリ４０の外側、即ち接続金具３０の両端側に、プーリ軸４１と平行なガイドピン４５を軸として、プーリ４０に隣接配置される一対のガイドローラ４４を有する。ガイドローラ４４は、スペーサ３７に形成された支持孔に挿通されたガイドピン４５によって回転自在に支持されている。
【００６１】
このような構成により、プーリ４０に巻き掛けられたワイヤ２０は、プーリ４０とガイドローラ４４とによって挟まれることになる。これにより、ワイヤ２０が吸込グリル５に対して容易に移動できる状態で、且つワイヤ２０がプーリ４０から外れてしまうことが抑制される。よって、吸込グリル５の傾きを抑制しつつワイヤ２０の外れ等に対する安全性が高められる。
【００６２】
ここで、ガイドローラ４４の軸となるガイドピン４５と、プーリ４０の軸となるプーリ軸４１とは、略同じ高さに設定されることが好ましい。これにより、ワイヤ２０の移動抵抗が大きくならず、且つワイヤ２０の外れ防止を図ることができる。
【００６３】
なお、プーリ４０及びガイドローラ４４は、例えば、合成樹脂等から成形され、特に、ポリアセタール等の自己潤滑性に優れる合成樹脂材料から成形されることが望ましい。これにより、ワイヤ２０に対する接続金具３０の移動が容易になり、吸込グリル５の傾きを修正する機能が高められる。
【００６４】
次に、昇降装置２の接続金具３０を吸込グリル５に取り付けるための構成及び取り付けの動作について詳細に説明する。
図８（Ａ）は、昇降装置２の接続金具３０をグリル支持部材５０に載置した状態を示す斜視図であり、図８（Ｂ）は、図８（Ａ）に示すＢ部近傍の拡大斜視図である。図８（Ｃ）は、脱落防止部材５７の取り付けを示すＢ部近傍の拡大斜視図であり、図８（Ｄ）は、ナット５９の取り付けを示すＢ部近傍の拡大斜視図である。
【００６５】
なお、昇降装置２が製品として出荷される際には、接続金具３０に対してプーリ４０やワイヤ２０等の部品は予め組み付けられている。また、グリル支持部材５０も吸込グリル５（図２参照）に対して予め組み付けられている。よって、ここで説明する昇降装置２に吸込グリル５を取り付ける作業は、主に、空気調和機１が設置される現場において行われる。
【００６６】
図８（Ａ）及び（Ｂ）に示すように、昇降装置２に吸込グリル５を接続するには、先ず、接続金具３０が、吸込グリル５を支持するグリル支持部材５０の上に載置される。その際、グリル支持部材５０の上面から上方に突設されているねじ部５３は、接続金具３０の両端近傍に形成されている固定孔３２に挿通される。これにより、接続金具３０の位置決めを容易に行うことができ、接続金具３０を所定の位置に配置することができる。
【００６７】
次に、図８（Ｃ）に示すように、グリル支持部材５０の上に載置された接続金具３０の両端部近傍に脱落防止部材５７が取り付けられる。具体的には、脱落防止部材５７は、略Ｕ字状に曲折された鋼板等からなり、グリル支持部材５０に形成されている貫通部５２から、接続金具３０及びグリル支持部材５０を挟むようにして装着される。なお、グリル支持部材５０も、鋼板等から曲折形成される板金部品であり、前述のとおり脱落防止部材５７を装着できるように上面から下面に貫通する貫通部５２が形成されている。
【００６８】
脱落防止部材５７が取り付けられることにより、脱落防止部材５７のＵ字状に曲折された上片の下面が接続金具３０の上面に当接し、脱落防止部材５７のＵ字状に曲折された下片の上面がグリル支持部材５０の下面に当接する。これにより、グリル支持部材５０は、接続金具３０に仮固定された状態となり、接続金具３０によってグリル支持部材５０及びそれにつながる吸込グリル５を持ち上げることができるようになる。
【００６９】
なお、脱落防止部材５７の上片には、ねじ部５３が挿入される切欠部５８が形成されている。脱落防止部材５７を取り付ける際には、脱落防止部材５７の切欠部５８にグリル支持部材５０のねじ部５３が挿入される。これにより、脱落防止部材５７の位置決めが容易になる。
【００７０】
次に、図８（Ｄ）に示すように、脱落防止部材５７の上方から、ねじ部５３に固定用のナット５９が螺合され、ねじ部５３とナット５９の締結によって接続金具３０がグリル支持部材５０に固定される。
【００７１】
上記のように、本実施形態に係る昇降装置２では、現場においてワイヤ２０の連結作業等を行うことなく、昇降装置２と吸込グリル５との接続作業を容易に行うことができる。即ち、巻上装置１０（図４参照）からワイヤ２０を引き出して、ワイヤ２０に予め接続されている接続金具３０を、吸込グリル５を支持するグリル支持部材５０に取り付けることにより、吸込グリル５を昇降装置２に容易に取り付けることができる。
【００７２】
脱落防止部材５７が設けられることにより、昇降装置２では、吸込グリル５の取り付け作業が容易であるので、一人の作業者のみで吸込グリル５を取り付けることも可能である。具体的には、作業者は、一方の手で吸込グリル５を支え、他方の手で接続金具３０をグリル支持部材５０に載置した後、前記他方の手で脱落防止部材５７を取り付けることができる。そして、その後、吸込グリル５を支える前記一方の手を離しても吸込グリル５は落下しないので、両手を使用してナット５９の締め付けを行うことができる。
【００７３】
図９は、昇降装置２の接続金具３０の取り付けの概略を示す側面断面図である。
図９に示すように、接続金具３０は、吸込グリル５を支持するグリル支持部材５０の上面に固定されている。グリル支持部材５０には、プーリ４０のプーリ軸４１の両端部外側にプーリ軸４１の周面下部よりも高い側面部５１が形成されている。
【００７４】
即ち、グリル支持部材５０の側面部５１の高さＬ１は、グリル支持部材５０の底面部の上面からプーリ軸４１の周面下部までの高さＬ２よりも高い。このような構成により、プーリ４０のプーリ軸４１が外れてしまうことをグリル支持部材５０の側面部５１によって防止することができる。よって、昇降装置２の組み立て作業を困難にすることなく、プーリ４の外れを防止して、昇降装置２の安全性を高めることができる。
【００７５】
なお、本発明は、上記実施形態に限定されるものではない。例えば、以上の説明では、一対の巻取ドラム１２を有する昇降装置２を用いて、吸込グリル５の中央部の２カ所で吸込グリル５を吊り上げる構成を説明したが、更にもう一対の巻取ドラム１２を設けても良い。即ち、吸込グリル５の対辺近傍にそれぞれ２カ所、合計４カ所で吸込グリル５を吊り上げる構成を採用することも可能である。その他、本発明は、本発明の要旨を逸脱しない範囲で、種々の変更実施が可能である。
【符号の説明】
【００７６】
１      空気調和機
２      昇降装置
３      吸込チャンバ
５      吸込グリル
１０    巻上装置
１２、１２Ａ、１２Ｂ    巻取ドラム
１３    ばね機構
１４    クラッチ機構
２０    ワイヤ
２１    リング部
２２    結び目
２３    スリーブ
２５    連結部材
２６    支持孔
２７    ストッパ孔
２８    ピン部
３０    接続金具
３３    ストッパ部
４０    プーリ
４４    ガイドローラ
４７    フレーム
４８    ベースプレート
５０    グリル支持部材
５５    フィルタ
５１    側面部
５７    脱落防止部材
【図１】
2020125888.tif 000003
【図２】
2020125888.tif 000004
【図３】
2020125888.tif 000005
【図４】
2020125888.tif 000006
【図５】
2020125888.tif 000007
【図６】
2020125888.tif 000008
【図７】
2020125888.tif 000009
【図８】
2020125888.tif 000010
【図９】
2020125888.tif 000011